(57)【要約】      （修正有）【課題】コインロッカー装置の小窓ドア等、各種の平板ドアに対するソリッドロック錠の取付／交換を、効率的に行うことが出来るソリッドロック錠を提供する。【解決手段】ソリッドロック錠３０の非回動部３０−２を回動不能に支持する支持拘束部１１と、ソリッドロック錠３０の先端首部３０−６に係合する回動自在のフック片２０を備える。フック片２０は、ドアＤの裏面に対して略直角方向に立ち上げた取付材１６に基端部を軸着し、その先端部に、ソリッドロック錠３０の先端首部３０−６に係合するフック部２７を備える。【選択図】図１
2018178631.tif 000002
【特許請求の範囲】
【請求項１】
ドアの裏面に配して、ソリッドロック錠を固定する装置であって、
当該装置は、
ソリッドロック錠の非回動部を回動不能に支持する支持拘束部と、
ソリッドロック錠の先端首部に係合する回動自在のフック片を備え、
当該フック片は、
ドアの裏面に対して略直角方向に立ち上げた取付材に基端部を軸着し、
該基端部を回動中心としてドアの裏面と平行に回動可能であり、
その先端部に、ソリッドロック錠の先端首部に係合するフック部を備えることを特徴とするソリッドロック錠の固定装置。
【請求項２】
ソリッドロック錠の非回動部を支える支持拘束部は、
ドアの裏面に当接させた固定板材と、
この固定板材の端部に連接させた断面略コ字状の台座部と、
この台座部に形成した開口部とからなり、
該開口部は、
前記ドアと略平行となる垂直板材に設け、
当該開口部を介してソリッドロック錠の非回動部を、回動不能に支持拘束することを特徴とする請求項１記載のソリッドロック錠の固定装置。
【請求項３】
支持拘束部と、固定板材と、取付板材とを、
金属板材を折曲加工して一体に成形することを特徴とする請求項２記載のソリッドロック錠の固定装置。
【発明の詳細な説明】
【技術分野】
【０００１】
本発明は、コインロッカー等に用いるソリッドロック錠の固定装置に関する。
【背景技術】
【０００２】
図１０に示すように、カスタムキー（施解錠キー）１に蛇溝２を備えるソリッドロックシステムは、安全性が高く、コインロッカー等、高度な安全性能が要求されるドアの施錠に用いられる。
【０００３】
ソリッドロック錠３は、特殊なロック原理に基づいて設計されるので、一般的なシリンダー錠とは内部の機構も異なり、外観形状も異なる。
【０００４】
外観形状を説明すると、３−１は、カスタムキー１を差し込む鍵穴を備える鍵穴部で、この鍵穴部３−１は、ドア等の外側に露出する。
【０００５】
３−２は、カスタムキー１によって施解錠を行うためのロック機構を内蔵した非回動部である。カスタムキー１を回動させても、非回動部３−２は動かない（回動しない）。
【０００６】
３−３は、カスタムキー１の施解錠操作によって回動する回動ベース部、３−４は、ドアをロックするためのロック片を回動自在に固定するためのロック片固定部、３−５は、各種の可動部材を駆動させる回動軸部、３−６は、外径寸法の小さな首部（先端首部）、３−７は、先端に設けた鍔部（フランジ部）である。
【０００７】
鍵穴部３−１以外の部分（３−２〜３−７）は、ドアの裏面に突出する部材であり、また、非回動部３−２以外の部分（３−３〜３−７）は、カスタムキー１の施解錠操作によって回動する。
【０００８】
このようなソリッドロック錠３は、例えば、コインロッカー装置を例にとって説明すると、図１１に示すように、ドア５には配設せず、コインの投入／回収／返却等の管理機構を備えたケーシング６に設ける。
【０００９】
特許文献１に開示されるように、ケーシング６は、非常に複雑な構成をもっており、カスタムキー１の施解錠操作に連動して多数の駆動部品が動く（特許文献１の図３参照）ので、他種類の部品を介してソリッドロック錠３を固定できる。
【００１０】
一方、ソリッドロック錠３を、平板のドアに取り付ける場合、従来は、非回動部３−２または回動軸部３−５にネジ山を形成し、ナット／座金／スペーサ等を介して取り付けた。
【００１１】
具体的には、例えば、コインロッカー装置のドア（本体ドア）５に、小窓ドア５−２を設ける場合である。
【００１２】
本出願人が提案したこの小窓ドア（サービスドア；登録商標）５−２は、ドア５を施錠した後に、本体ドア（５）の施解錠を行うカスタムキー（１）を用いて何度でも解錠／施錠が出来るようにしたものである（特許文献２、特許文献３）。本体ドア（５）を閉じた後、荷物の入れ忘れに気づいたときや、後刻に荷物を入れ直しする場合等に、無料で小窓ドア５−２を開閉利用できる。
【先行技術文献】
【特許文献】
【００１３】
【特許文献１】特許第４０３４９４２号
【特許文献２】実用新案登録第３１８５３１９号
【特許文献３】意匠登録第１５０６５９８号
【発明の開示】
【発明が解決しようとする課題】
【００１４】
問題は、平板のドア（例えば小窓ドア５−２）にソリッドロック錠を取り付けることが容易ではなかった点にある。
【００１５】
その理由は、ソリッドロック錠（３）が複雑な外観形状であるため、固定用のネジ形成が難しいからである。
【００１６】
ネジ山を切りやすい部位である非回動部（３−２）は、断面が完全な円形ではなく、一部に平面部を備えるので、この部位にネジ山を形成することは非常に困難である。
【００１７】
このため、従来は、断面円形を呈する回動軸部（３−５）にネジ山を形成し、ナット、その他、多数の必要部品を介在させて平板ドア（５−２）にソリッドロック錠（３）を取り付けた。
【００１８】
このような取り付け方法による、小窓ドア５−２を用いたコインロッカー装置は好評を得て、多くの施設（空港、鉄道駅、大型商業施設等）に設置されるに至っている。
【００１９】
しかしながら、小窓ドア５−２にソリッドロック錠３を取り付ける作業は、熟練を要し、困難を伴うため、需要に対して迅速な生産対応が出来なかった。
【００２０】
肉薄な箇所（回動軸部３−５）にネジ山を形成することは難しく、また、ネジ山の形成に失敗すると、比較的高額なソリッドロック錠（３）が使用不能となるからである。
【００２１】
このような事情に加えて、ソリッドロック錠３の容易な交換が難しいことに起因し、小窓ドア（５−２）を備えるコインロッカー装置の、管理／運用上の問題も生じた。
【００２２】
以上の事情に鑑みて、本発明の目的は、コインロッカー装置の小窓ドア（５−２）等、各種の平板ドアに対するソリッドロック錠の取付／交換を、より効率的に行うことが出来るようにすることにある。
【課題を解決するための手段】
【００２３】
前記目的を達成するため、本発明に係るソリッドロック錠の固定装置は、ソリッドロック錠の非回動部を回動不能に支持する支持拘束部と、ソリッドロック錠の先端首部に係合する回動自在のフック片を備え、当該フック片は、ドアの裏面に対して略直角方向に立ち上げた取付材に基端部を軸着し、該基端部を回動中心としてドアの裏面と平行に回動可能であり、その先端部に、ソリッドロック錠の先端首部に係合するフック部を備える（請求項１）。
【００２４】
かかる構成によれば、ドアの裏面に露出するソリッドロック錠の基端部（非回動部）を支持拘束部によって回動不能に支持するので、カスタムキー（物理キー）を介した施解錠操作のときに、カスタムキーを回動させても、ソリッドロック錠は回動しない。
【００２５】
また、ソリッドロック錠の先端部（先端首部）は、回動自在のフック片を介して係合拘束するので、カスタムキーの施解錠操作時におけるソリッドロック錠のぐらつきを防止できる。
【００２６】
フック片は、係合支持だけであるから、カスタムキーに従動した先端首部の動き（回動動作）は妨げない。先端首部は、カスタムキーの回動操作に従動して回動する。
【００２７】
このように、カスタムキーの回動操作のときに、基端部を回動不能に支持拘束するとともに、フック片を介して先端部を回動可能に支持するので、ナットを用いた螺合構造の固定方式に較べて、ソリッドロック錠の取付／交換が格段に容易となる。螺合手段であるナットを用いないので、スパナ等の工具がなくても作業が出来るからである。
【００２８】
また、ソリッドロック錠にネジ山を形成する必要がないので、受注時に迅速な納品対応が可能となる。難しいネジ山形成の作業を要しないので、製造コストも確実に低減できる。
【００２９】
ソリッドロック錠の非回動部を支える支持拘束部は、ドアの裏面に当接させた固定板材と、この固定板材の端部に連接させた断面略コ字状の台座部と、この台座部に形成した開口部とからなり、該開口部は、前記ドアと略平行となる垂直板材に設け、当該開口部を介してソリッドロック錠の非回動部を、回動不能に支持拘束する場合がある（請求項２）。
【００３０】
ソリッドロック錠の基端部（非回動部）を回動不能に拘束する支持拘束部を、断面略コ字状の台座部に設けた開口部によって構成することにより、最もシンプルな構造によって、基端部（非回動部）を安定拘束できる。
【００３１】
支持拘束部と、固定板材と、取付板材とを、金属板材を折曲加工して一体に成形する場合がある（請求項３）。
【００３２】
ドアの裏面に配する固定装置を、折曲加工により一体成形すれば、固定板材をスポット溶接等の手段によりドア裏に固定するだけで固定装置を装着できる。
【００３３】
支持拘束部と取付板材とを別体に成形してドアの裏面に配する場合に較べ、装着の作業効率を向上させることが出来る。
【００３４】
また、部品点数を減らすことにより、製品コストを確実に低減できる。
【発明の効果】
【００３５】
本発明に係るリッドロック錠の固定装置によれば、シンプルな構造により、ソリッドロック錠の取付および交換を効率的に行うことが出来る。
【図面の簡単な説明】
【００３６】
【図１】本発明に係る固定装置の実施形態を示す断面図である。
【図２】図１に係る固定装置の実施形態を示す斜視図である。
【図３】図１に係る非回動部の形状を示す図である。
【図４】図１に示す固定装置をドアとともに示す図である。
【図５】ソリッドロック錠に装着するドア施錠片を例示する斜視図である。
【図６】図１に係る固定装置にドア施錠片を装着した状態を示す断面図である。
【図７】図１に係るドアの設定角度を例示する第一の図である。
【図８】図１に係るドアの設定角度を例示する第二の図である。
【図９】図１に係る固定装置を被覆するカバー材を例示する図である。
【図１０】従来の一般的なソリッドロック錠とカスタムキーとを例示する図である。
【図１１】ソリッドロック錠を備える従来のコインロッカー装置を示す図である。
【発明を実施するための形態】
【００３７】
図１は、本発明に係る固定装置の実施形態を示すものである。
【００３８】
この固定装置１０は、ドアＤ、例えばコインロッカー装置における小窓ドア（図１１参照）の裏面にソリッドロック錠３０を固定するもので、ソリッドロック錠３０の非回動部３０−２を回動不能に支持する支持拘束部１１と、ソリッドロック錠３０の先端首部３０−６に係合する回動自在のフック片２０を備える。
【００３９】
また、フック片２０は、ドアＤの裏面Ｄ−２に対して略直角方向に立ち上げた取付材１６に基端部２１を軸着し、該基端部２１を回動中心としてドアＤの裏面Ｄ−２と平行に回動可能であり、先端部に、ソリッドロック錠３０の先端首部３０−６に係合するフック部２７を備える。
【００４０】
以下、各部の構成をより具体的に説明する。
【００４１】
ソリッドロック錠３０は、例えば、カスタムキー（図示せず）を差し込む鍵穴Ｈを備える鍵穴部３０−１、カスタムキー（図示せず）によって施解錠を行うためのロック機構Ｒを内蔵した非回動部３０−２、カスタムキー（図示せず）の施解錠操作によって回動する回動ベース部３０−３、ドアＤをロックするためのドア施錠片（後に説明する；図５参照）を回動自在に固定するための施錠片固定部３０−４を備える。
【００４２】
３０−５は、回動軸部である。この回動軸部３０−５は、コインロッカー装置等においては各種の可動部材を駆動させるために重要であるが、本発明に係る固定装置１０においては、この部位には可動部材を設けない。
【００４３】
３０−６は、外径寸法の小さな首部（先端首部）、３０−７は、先端に設けた鍔部（フランジ部）である。鍵穴部３０−１および非回動部３０−２以外の部分（３０−３〜３０−７）は、カスタムキー（図示せず）の施解錠操作によって回動する。
【００４４】
鍵穴部３０−１は、ドアＤの外側に露出させる。利用者が、カスタムキー（図示せず）を用いて施解錠を操作を行えるようにするためである。Ｄ−３は、ドアＤの端末の折り返し部である。
【００４５】
支持拘束部１１は、ソリッドロック錠３０の非回動部３０−２を、適宜の位置で支え、非回動部３０−２を回動不能に支持する。出来るだけ非回動部３０−２の上部を支持することが好ましい。
【００４６】
この支持拘束部１１は、例えば、図２にも示すように、ドアＤの裏面Ｄ−２に当接させた固定板材１２と、この固定板材１２の端部に連接させた断面略コ字状の台座部１４と、この台座部１４に形成した開口部１５とからなり、該開口部１５は、ドアＤと略平行となる平行材１４−１に設け、当該開口部１５を介してソリッドロック錠３０の非回動部３０−２を支持拘束する。
【００４７】
Ｄ−４は、ドアＤに設けた孔部で、この孔部Ｄ−４からソリッドロック錠３０をドアＤの裏面Ｄ−２に差し込む。
【００４８】
固定板材１２は、適宜手段、例えばスポット溶接によって、ドアＤの裏面Ｄ−２に固着し、台座部１４を安定固定させる機能を果たす。
【００４９】
非回動部３０−２は、断面が円形ではなく、図３に示すように、一部に平坦面３４が形成されている。
【００５０】
従って、非回動部３０−２の外周を、例えば、略方形を呈する開口部１５によって支持すれば、カスタムキー（図示せず）を回動操作しても、開口部１５の縁部１５−１に当接する平坦面３４の回動は阻止される。これにより、カスタムキー（図示せず）を回動操作しても、ソリッドロック錠３０は回動／回転しない。
【００５１】
開口部１５の形状は、必ずしも矩形である必要はない。非回動部３０−２の平坦面３４と当接する部分が略直線的であれば、他の部分は、非回動部３０−２の曲線部に沿った曲線ラインに成形しても良い。
【００５２】
取付材１６は、例えば、固定板材１２の端部を折曲させて、ドアＤの裏面Ｄ−２に対して略直角に立ち上げる。こうすれば、固定板材１２を介して、取付材１６は、ドアＤの裏面Ｄ−２にしっかりと固定できる。
【００５３】
取付材１６の形状は問わないが、例えば、略長方形とし、その先端部（上端部）または先端近傍に、ドアＤと略平行な折曲フランジ１６−２を設け、この折曲フランジ１６−２に、フック片２０の基端部２１を回動可能に軸着する。Ｑは、ネジ孔である。
【００５４】
フック片２０は、ドアＤと略平行に回動してソリッドロック錠３０の先端首部３０−６に係合する。従って、折曲フランジ１６−２は、ソリッドロック錠３０の先端首部３０−６と略同一の高さ位置（裏面Ｄ−２からの離隔位置）に設ける。
【００５５】
フック片２０の基端部２１は、例えば、ネジＳを用いて固定する。ネジＳを、強く締めるのではなく、やや強い力を与えればフック片２０が回動できる程度に締めておくことにより、先端首部３０−６に係合させたフック片２０を、必要に応じて先端首部３０−６から外し、ソリッドロック錠３０を随時交換可能とすることが可能となる。ネジＳを強く締めても、ドライバー等を用いて締め付けを緩めれば、フック片２０は容易に回動させることが出来、ソリッドロック錠３０を簡単に交換（取り替え）できる。
【００５６】
フック片２０の先端部に設けるフック部２７は、ソリッドロック錠３０の先端首部３０−６に係合し、ソリッドロック錠３０の先端部（上端部）のぐらつきを防止できる機能を備える形状であれば良い。例えば、図４に示すように、Ｕ字状またはコ字状の凹部によって構成できる。
【００５７】
ソリッドロック錠３０は、ドアＤを施錠／解錠するためのロック装置（錠前）である。
【００５８】
従って、図５に示すように、ソリッドロック錠３０には、ドアＤを施錠するためのドア施錠片５０が装着される。
【００５９】
このドア施錠片５０は、例えば、カスタムキー（図示せず）の施解錠操作によって回動する回動ベース部３０−３に従動する施錠片固定部３０−４に、その基端部を固定する。
【００６０】
ドア施錠片５０は、例えば、ベース部（基端部）５１、開口部５２、立上部５３、回動先端部５４、フック部（凹部）５５を備える。
【００６１】
施錠片固定部３０−４に嵌合固定する開口部５２は、施錠片固定部３０−４の平面形状と略同一の相似形状、つまり、矩形（正方形等）であり、必要に応じて、角部（頂部）を切除したカット部５２−２を備える。
【００６２】
この実施形態に係るドア施錠片５０に設けた立上部５３は、ドアＤの端部に形成する折り返し部Ｄ−３の寸法Ｗ１（図６参照）に応じて、当該折り返し部Ｄ−３よりも外方に先端部５４／フック部５５が突出できるように位置変更（高さ変更）するためである。折り返し部Ｄ−３の寸法Ｗ１が小さければ、立上部５３を必要としない場合もある。尚、ドア施錠片５０は、ドアＤが左開きの場合はドアＤの左側に突出し、ドアＤが右開きの場合はドアＤの右側に突出して、ドアＤをロックするように構成することが望ましい。
【００６３】
そして、カスタムキー（図示せず）を介した施錠操作により回動して、折り返し部Ｄ−３の外方に突出した回動先端部５４のフック部（凹部）５５が、例えば、コインロッカー装置の本体ドア側に設けた係合片（図示せず）に係合し、ドアＤを施錠する。解錠のときは、フック部（凹部）５５が、本体ドア側に設けた係合片（図示せず）から外れてドアＤが開く。
【００６４】
従って、かかる構成によれば、ドアの裏面に露出するソリッドロック錠３０の基端部（非回動部３０−２）を支持拘束部１１によって回動不能に支持し、ソリッドロック錠３０の先端部（先端首部３０−６）は、回動自在のフック片２０を介して係合拘束するので、ソリッドロック錠３０は、しっかりとした固定状態となる。
【００６５】
従来のように、ソリッドロック錠３０にネジ山を形成する必要がないので、需要に速やかに対応でき、取付コストも低減できる。
【００６６】
また、カスタムキーの紛失事故の場合は、ソリッドロック錠３０の交換が必要になるが、ナット等の多数の取付部品を必要としないので、取り替え作業も容易となり、例えば、コインロッカー装置の管理上の煩雑を解消できる。
【００６７】
支持拘束部１１は、ソリッドロック錠３０の非回動部３０−２を回動不能に支持すればよい。従って、構成は前記実施形態のものに限定されない。例えば、ソリッドロック錠３０の外周を包む内部中空の円柱材によって、ソリッドロック錠３０を包持する等である。
【００６８】
しかしながら、固定板材１２の端部に連接させた断面略コ字状の台座部１４と、台座部１４に形成した開口部１５とによって構成すれば、最もシンプルな構成によって、非回動部３０−２を回動不能に支持でき、本発明に係る固定装置（１０）の製造コストを低減できる。
【００６９】
先端首部３０−６を支持するフック片２０を回動可能に軸支するための、取付材１６も、前記実施形態の構成に限定されない。ドアＤの裏面Ｄ−２と平行に回動可能なフック片２０を確実に軸支できるものであればよいから、柱状型、台座型など、各種の構成をとることが出来る。
【００７０】
しかしながら、前記実施形態のように、固定板材１２の端部を折曲して立ち上げた壁状（ドアＤに対して垂直な板材）の取付板材１６として構成すれば、支持拘束部１１と、固定板材１２と、取付板材１６とを、金属板材を折曲加工して一体成形することが出来る。
【００７１】
本発明に係る固定装置（１０）の主要部分を一体形成すれば、製造コストを抑えることが出来る。また、ドア（Ｄ）の裏面（Ｄ−２）に対する固定を、固定板材１２のスポット溶接等により、簡単に行うことが出来るので、製造の作業効率が向上する。
【００７２】
コインロッカー装置に小窓ドア（Ｄ）を設ける場合、図７に示すように、小窓ドア（Ｄ）を軸支するヒンジＮ(回動基端部)よりも、ソリッドロック錠（３０）（回動先端側）を水平方向に対して下に配する方式と、図８に示すように、小窓ドア（Ｄ）を軸支するヒンジＮ(回動基端部)よりも、ソリッドロック錠（３０）（回動先端側）を水平方向に対して上に配する方式があるが、いずれの配設方式でも良い。
【００７３】
図８に係る配設例の場合は、ソリッドロック錠（３０）を解錠すると小窓ドア（Ｄ）が自重によって開くので、利用者には便利である。しかしながら、カスタムキーの収集マニア等が、小窓ドア（Ｄ）を開いたままにして、カスタムキーを持ち去るキーの盗難事故が生ずることがある。
【００７４】
この場合、小窓ドア（Ｄ）が大きく開いていると、歩行者の邪魔になる等の問題が生ずる。そこで、図７に係る配設例のように、ソリッドロック錠（３０）が解錠された状態における、小窓ドア（Ｄ）の拡開角度が小さくなる構成とすることが望ましい場合もある。小窓ドア（Ｄ）を傾斜させる場合は、設置場所、通行人数等に応じて設計することが望ましい。傾斜させない水平配置でも構わない。
【００７５】
本発明に係るソリッドロック錠の固定装置は、汎用性が高く、コインロッカー装置の小窓ドア（Ｄ）以外にも適用できる。
【００７６】
例えば、書庫、各種の脱衣場ロッカー、保管庫などにおいて、より高いセキュリティレベルを実現するため、シリンダー錠に代えて、ソリッドロック錠（３０）を取り付ける場合等である。
【００７７】
先端首部（３０−６）に係合する回動自在のフック片（２０）の回動方向は限定されない。下から上に回動、または上から下に回動のいずれであっても良い。
【００７８】
支持拘束部（１１）と、固定板材（１２）と、取付板材（１６）とを、金属板材を折曲加工して一体成形する場合、前記実施形態では、略長方形の金属板材を折曲形成する場合を図示（図２参照）した。しかし、支持拘束部（１１）、固定板材（１２）、取付板材（１６）の長手寸法は同一である必要はない。従って、金属板材は略長方形である必要はなく、各部位毎に寸法を整えた金属板材を用いても構わない。
【００７９】
図９に示すように、好ましくは、ソリッドロック錠３０の上および左右側面を被覆するボックス状のカバー材６０を設ける。小窓ドア（Ｄ）を開いて手を入れる場合に、ソリッドロック錠３０によって皮膚を損傷しないようにするためである。カバー材６０は、適宜箇所においてドアの裏面Ｄ−２に固定する。例えば、折曲形成したフランジ６２を介してドアＤの折り返し部Ｄ−３に固定（例えば溶接）する等である。
【符号の説明】
【００８０】
６  ケーシング
１０  固定装置
１１  支持拘束部
１２  固定板材
１４  台座部
１４−１  平行材
１５  開口部
１５−１  縁部
１６  取付材（垂直板材）
１６−２  折曲フランジ
２０  フック片
２１  基端部
２７  フック部
３０  ソリッドロック錠
３０−１  鍵穴部
３０−２  非回動部
３０−３  回動ベース部
３０−４  施錠片固定部
３０−５  回動軸部
３０−６  先端首部
３０−７  鍔部（フランジ部）
３４  平坦面
５０  ドア施錠片
５１  ベース部（基端部）
５２  開口部
５２−２  カット部
５３  立上部
５４  回動先端部
５５  フック部（凹部）
６０  カバー材
Ｄ  ドア（小窓ドア）
Ｄ−２  （ドアの）裏面
Ｄ−３  折り返し部
Ｄ−４  孔部
Ｈ  鍵穴
Ｎ  ヒンジ
Ｑ  ネジ孔
Ｒ  ロック機構
Ｓ  ネジ
Ｗ−１  折り返し部の寸法
【図１】
2018178631.tif 000003
【図２】
2018178631.tif 000004
【図３】
2018178631.tif 000005
【図４】
2018178631.tif 000006
【図５】
2018178631.tif 000007
【図６】
2018178631.tif 000008
【図７】
2018178631.tif 000009
【図８】
2018178631.tif 000010
【図９】
2018178631.tif 000011
【図１０】
2018178631.tif 000012
【図１１】
2018178631.tif 000013